(57)【要約】【課題】ファイル送信装置の利便性を向上させる。【解決手段】本発明は、送信対象ファイルを送信するための電子メールを作成するメール作成部と、メール作成部により作成される電子メールに含まれる文字列に基づき送信対象ファイルのファイル名を生成して、当該送信対象ファイルに付与するファイル名生成部と、ファイル名生成部によりファイル名が付与された送信対象ファイルを電子メールに添付して送信する送信部とを設けることにより、ファイル送信時、送信対象ファイルのファイル名を何ら入力させることなく、送信対象ファイルの送信に電子メールを利用することで当該送信対象ファイルのファイル内容が反映された電子メールに含まれる文字列に基づき、当該ファイル内容を表すファイル名を自動的に生成して送信対象ファイルに付与することができ、利便性を向上させることができる。【選択図】図８
2017068352.tif 000002
【特許請求の範囲】
【請求項１】
送信対象ファイルを送信するための電子メールを作成するメール作成部と、
前記メール作成部により作成される前記電子メールに含まれる文字列に基づき前記送信対象ファイルのファイル名を生成して、当該送信対象ファイルに付与するファイル名生成部と、
前記ファイル名生成部により前記ファイル名が付与された前記送信対象ファイルを前記電子メールに添付して送信する送信部と
を具えるファイル送信装置。
【請求項２】
前記ファイル名生成部は、
前記電子メールに含まれる前記文字列として、前記メール作成部により作成される前記電子メールのメール件名に基づき前記送信対象ファイルの前記ファイル名を生成する
請求項１に記載のファイル送信装置。
【請求項３】
前記ファイル名生成部は、
前記電子メールに含まれる前記文字列として、前記メール作成部により前記電子メールの作成に用いられるテンプレートに含まれる文字列に基づき前記送信対象ファイルの前記ファイル名を生成する
請求項１に記載のファイル送信装置。
【請求項４】
前記ファイル名生成部は、
前記電子メールに含まれる前記文字列として、前記テンプレートを用いて作成可能な前記電子メールのメール件名に基づき前記送信対象ファイルの前記ファイル名を生成する
請求項３に記載のファイル送信装置。
【請求項５】
前記メール作成部は、
前記電子メールの送信先情報、メール本文及びメール件名のうち少なくとも当該メール件名が入力されたテンプレートを用いて前記電子メールを作成する
請求項１乃至請求項４の何れかに記載のファイル送信装置。
【請求項６】
前記ファイル名生成部は、
前記電子メールに含まれる前記文字列として、前記メール作成部による前記電子メールのメール作成日時を示すメール作成日時情報が付加されたメール件名に基づき前記ファイル名を生成する
請求項１乃至請求項５の何れかに記載のファイル送信装置。
【請求項７】
前記ファイル名生成部は、
複数の前記送信対象ファイルの送信時、前記電子メールに含まれる前記文字列としてのメール件名と共に、ファイル総数分のそれぞれ異なる個別追加情報とに基づき複数のファイル名を生成して、複数の前記送信対象ファイルに付与し、
前記送信部は、
前記ファイル名生成部により前記ファイル名が付与された複数の前記送信対象ファイルを前記電子メールに添付して送信する
請求項１乃至請求項６の何れかに記載のファイル送信装置。
【請求項８】
前記ファイル名生成は、
前記電子メールに含まれる前記文字列として、前記メール作成部により作成される前記電子メールのメール件名と当該電子メールの送信元情報及び又は送信先情報とに基づき前記ファイル名を生成する
請求項１乃至請求項７の何れかに記載のファイル送信装置。
【請求項９】
画像を読み取る読取部と、
前記読取部により読み取られた前記画像の画像ファイルを送信対象ファイルとして送信するための電子メールを作成するメール作成部と、
前記メール作成部により作成される前記電子メールに含まれる文字列に基づき前記送信対象ファイルのファイル名を生成して、当該送信対象ファイルに付与するファイル名生成部と、
前記ファイル名生成部により前記ファイル名が付与された前記送信対象ファイルを前記電子メールに添付して送信する送信部と
を具える画像読取装置。
【発明の詳細な説明】
【技術分野】
【０００１】
本発明はファイル送信装置及び画像読取装置に関し、例えばスキャナ部で原稿から原稿画像を読み取って送信対象の画像ファイルを生成し、当該画像ファイルを電子メールに添付して送信するスキャン  Ｔｏ  Ｅメール機能を有する画像読取装置に適用して好適なものである。
【背景技術】
【０００２】
従来の画像読取装置は、スキャン  Ｔｏ  Ｅメール機能を実現する際の電子メールの作成用として、記憶部に電子メールの件名や本文の一部の文字が入力されたテンプレートを予め記憶している。そして画像読取装置は、ファイル送信時、スキャン  Ｔｏ  Ｅメール機能によりスキャナで原稿から原稿画像を読み取って送信対象の画像ファイルを生成するものの、当該画像ファイルを添付する電子メールを、記憶部から読み出したテンプレートを用いて生成することで、電子メールの作成の文字入力にかかる手間を低減させていた（例えば、特許文献１参照）。
【先行技術文献】
【特許文献】
【０００３】
【特許文献１】特開２０１２−２３８０９６公報（第７頁、第８頁、図１乃至図３）
【発明の概要】
【発明が解決しようとする課題】
【０００４】
ところで従来の画像読取装置では、電子メールに添付して送信する画像ファイルを送信先や送信元で管理し易くする場合、当該画像ファイルにファイル内容を表すファイル名を付与する必要がある。ところが従来の画像読取装置は、電子メールに添付して送信する画像ファイルに、ユーザに画像ファイルの生成前に任意に入力させたファイル名を付与し、又は画像ファイルの生成に応じてファイル内容に係わらずに自動的に生成した連番のようなファイル名を付与している。このため従来の画像読取装置は、画像ファイルにファイル内容を表すファイル名を付与するには、ユーザにファイル内容を表すファイル名を画像ファイルの生成前又は自動的なファイル名の生成後に入力させなければならず、利便性がわるいという問題があった。
【０００５】
本発明は以上の点を考慮してなされたもので、利便性を向上し得るファイル送信装置及び画像読取装置を提案しようとするものである。
【課題を解決するための手段】
【０００６】
かかる課題を解決するため本発明においては、送信対象ファイルを送信するための電子メールを作成するメール作成部と、メール作成部により作成される電子メールに含まれる文字列に基づき送信対象ファイルのファイル名を生成して、当該送信対象ファイルに付与するファイル名生成部と、ファイル名生成部によりファイル名が付与された送信対象ファイルを電子メールに添付して送信する送信部とを設けるようにした。
【０００７】
従って本発明では、ファイル送信時、送信対象ファイルのファイル名を何ら入力させることなく、送信対象ファイルの送信に電子メールを利用することで当該送信対象ファイルのファイル内容が反映された電子メールに含まれる文字列に基づき、当該ファイル内容を表すファイル名を自動的に生成して送信対象ファイルに付与することができる。
【発明の効果】
【０００８】
本発明によれば、送信対象ファイルを送信するための電子メールを作成するメール作成部と、メール作成部により作成される電子メールに含まれる文字列に基づき送信対象ファイルのファイル名を生成して、当該送信対象ファイルに付与するファイル名生成部と、ファイル名生成部によりファイル名が付与された送信対象ファイルを電子メールに添付して送信する送信部とを設けることにより、ファイル送信時、送信対象ファイルのファイル名を何ら入力させることなく、送信対象ファイルの送信に電子メールを利用することで当該送信対象ファイルのファイル内容が反映された電子メールに含まれる文字列に基づき、当該ファイル内容を表すファイル名を自動的に生成して送信対象ファイルに付与することができ、かくして利便性を向上し得るファイル送信装置及び画像読取装置を実現することができる。
【図面の簡単な説明】
【０００９】
【図１】実施の形態による画像読取装置の回路構成を示すブロック図である。
【図２】オペレーションパネルの構成を示す略線図である。
【図３】新規メール作成画像の構成を示す略線図である。
【図４】テンプレート生成部によるテンプレートの生成の説明に供する略線図である。
【図５】タッチスクリーンに表示した宛先入力画像の構成を示す略線図である。
【図６】タッチスクリーンに表示したテンプレート提示画像の構成を示す略線図である。
【図７】メール作成部による電子メールの作成及びメールデータの生成の説明に供する略線図である。
【図８】ファイル送信処理手順を示すフローチャートである。
【図９】ファイル再送信処理手順を示すフローチャートである。
【発明を実施するための形態】
【００１０】
以下図面を用いて、発明を実施するための最良の形態（以下、これを実施の形態とも呼ぶ）について説明する。なお、説明は以下の順序で行う。
（１）実施の形態
（２）他の実施の形態
【００１１】
（１）実施の形態
（１−１）画像読取装置の回路構成
図１において１は本実施の形態による画像読取装置を示す。画像読取装置１は、スキャン  Ｔｏ  Ｅメール機能を有する例えばＭＦＰ（Multi-Function  Peripheral）であり、送信対象の画像ファイルを電子メールに添付し、インターネット等のネットワーク２を介して送信先であるパーソナルコンピュータやスマートホン等のような端末装置３、４へ送信することができる。実際に画像読取装置１は、ＣＰＵ（Central  Processing  Unit）又はマイクロプロセッサのような制御部１０を有している。そして制御部１０には、ＲＯＭ（Read  Only  Memory）又はハードディスクドライブのような記憶部１１、当該制御部１０のワークエリアであるＲＡＭ（Random  Access  Memory）１２、ＲＴＣ（Real  Time  Clock）回路１３が接続されている。また制御部１０には、図２に示すような表示画面に対する各種画像の表示と共にタッチ操作が可能なタッチスクリーン１４、及び押下操作が可能な複数種類の操作キー１５を有するオペレーションパネル１６も接続されている。さらに制御部１０には、スキャナ部１７及びネットワークインタフェース１８も接続され、当該ネットワークインタフェース１８がネットワーク２に接続されている。
【００１２】
因みにオペレーションパネル１６（図２）は、例えば中央部にタッチスクリーン１４が配置されている。またオペレーションパネル１６は、タッチスクリーン１４の左側に操作キー１５として、画像読取装置１が実現可能なコピー機能、スキャン  Ｔｏ  Ｅメール機能、プリント機能及びファクシミリ機能を個別に選択させるための複数のファンクションキーが配置されている。さらにオペレーションパネル１６は、タッチスクリーン１４の右側に操作キー１５として、当該タッチスクリーン１４上でカーソル（図示せず）を上下左右へ移動させるための方向キーや、各種機能に応じた処理の実行を指示させるための実行キー等が配置されている。またスキャナ部１７は、特に図示しないが、１枚の原稿を載置させるガラス板の原稿台、１又は複数の原稿をガラス板の近傍の画像読取位置へ自動的に連続して送るＡＤＦ（Auto  Document  Feeder）、当該原稿台を介して、また画像読取位置で原稿の表面の原稿画像を光学的に読み取るイメージセンサ等を有している。これによりスキャナ部１７は、読取対象の原稿が１枚の場合は、原稿台を介して、又は画像読取位置で当該原稿の原稿画像を単独で読み取り、また読取対象の原稿が複数の場合は、画像読取位置で当該複数の原稿の原稿画像を連続的に読み取ることができる。
【００１３】
制御部１０は、記憶部１１に予め記憶した基本プログラムやテンプレート生成処理プログラム、ファイル送信処理プログラム、ファイル再送信処理プログラム等の各種プログラムをＲＡＭ１２に適宜読み出して展開する。これにより制御部１０は、ＲＡＭ１２で展開した各種プログラムに従って画像読取装置１全体を統括制御すると共に、テンプレート生成機能や、スキャン  Ｔｏ  Ｅメール機能等を実現するための各種処理を実行する。よって以下には、制御部１０が実行する各種処理について説明する。ただし以下には、図１において制御部１０が各種プログラムに従って実現する各種機能をそれぞれ便宜上、機能回路ブロックとして示して、当該制御部１０が各種プログラムに従って実行する種々の処理を各機能回路ブロックが実行する処理として説明する。なお画像読取装置１は、以下に示す機能回路ブロックと同様の処理を実行可能なハードウェア構成の回路ブロックを設け、制御部１０が実行する種々の処理を当該ハードウェア構成の回路ブロックによって実行するように構成することもできる。
【００１４】
パネル制御部２０は、ユーザによりオペレーションパネル１６を介して（すなわちタッチスクリーン１４や複数の操作キー１５が操作されて）入力される種々の命令や指示等を解釈して、対応する回路ブロックに通知する入力処理部として機能する。またパネル制御部２０は、各回路ブロックから与えられる種々の画像データをタッチスクリーン１４に送出することにより、当該タッチスクリーン１４に対する種々の画像データに基づく画像の表示を制御する表示制御部としても機能する。よってテンプレート生成部２１は、ユーザによりオペレーションパネル１６を介して電子メール作成用のテンプレートの生成が要求されると、記憶部１１から予め記憶された新規メール作成画像データを読み出す。そしてテンプレート生成部２１は、新規メール作成画像データを、パネル制御部２０を介してタッチスクリーン１４に送出することにより、当該タッチスクリーン１４に新規メール作成画像データに基づき、図３に示すような新規メール作成画像２２を表示する。
【００１５】
新規メール作成画像２２には、電子メールの宛先を示す送信先のメールアドレスを入力するための第１乃至第３アドレス入力部２３乃至２５と、電子メールのメール件名を入力するための件名入力部２６と、電子メールのメール本文を入力するための本文入力部２７とが設けられている。因みに第１アドレス入力部２３は、電子メールのメインの宛先となる送信先のメールアドレスを入力するものであり、その旨を示すＴＯという文字が表示されている。なお以下の説明では、第１アドレス入力部２３に入力されるメールアドレスを第１送信先アドレスとも呼び、その第１送信先アドレスで特定される送信先を第１送信先とも呼ぶ。
【００１６】
また第２アドレス入力部２４は、第１送信先に送信する電子メールの確認や共有等のためのサブの宛先となる送信先のメールアドレスを入力するものであり、その旨を示すＣＣ（Carbon  Copy）という文字が表示されている。なお以下の説明では、第２アドレス入力部２４に入力されるメールアドレスを第２送信先アドレスとも呼び、その第２送信先アドレスで特定される送信先を第２送信先とも呼ぶ。さらに第３アドレス入力部２５は、第１送信先に送信する電子メールのサブの宛先となる送信先のメールアドレスを当該送信先でのみ表示し、他の送信先では表示しないように指定して入力するものであり、その旨を示すＢＣＣ（Blind  Carbon  Copy）という文字が表示されている。なお以下の説明では、第３アドレス入力部２５に入力されるメールアドレスを第３送信先アドレスとも呼び、その第３送信先アドレスで特定される送信先を第３送信先とも呼ぶ。
【００１７】
この状態でテンプレート生成部２１は、ユーザによりオペレーションパネル１６を介して新規メール作成画像２２上で例えば件名入力部２６及び本文入力部２７にそれぞれメール件名及びメール本文が任意に入力され、テンプレートの登録が要求されると、新規メール作成画像データをもとにテンプレートデータを生成する。すなわちテンプレート生成部２１は、新規メール作成画像データにメール件名を示すテキストのような件名データ及びメール本文を示すテキストのような本文データを合成する。これによりテンプレート生成部２１は、件名入力部２６及び本文入力部２７にメール件名及びメール本文を入力（すなわち記述）した新規メール作成画像２２を電子メール作成用のテンプレートとし、当該テンプレートのテンプレートデータを生成する。またテンプレート生成部２１は、テンプレートデータに、このときユーザによりオペレーションパネル１６を介して入力された、又は自動的に生成した当該テンプレートデータ固有のテンプレート識別情報を付加する。そしてテンプレート生成部２１は、テンプレートデータを記憶部１１に送出して記憶する。またテンプレート生成部２１は、テンプレート識別情報を記憶部１１に送出して記憶することにより、当該記憶部１１上で予め生成しているテンプレート管理リスト（図示せず）に登録する。
【００１８】
因みにテンプレート生成部２１は、例えば「会議議事録」等のようなメール件名で常に同一の送信先（すなわち第１送信先や、第２送信先及び又は第３送信先）に送信される電子メールの作成用のテンプレートについては、第１アドレス入力部２３や、第２アドレス入力部２４及び又は第３アドレス入力部２５に任意の個数の第１送信先アドレスや、第２送信先アドレス及び又は第３送信先アドレスを入力させて生成することもできる。なお以下の説明では、これら第１送信先アドレス、第２送信先アドレス及び第３送信先アドレスを特に区別する必要が無い場合、これらを単に送信先のメールアドレスとも呼ぶ。このようにして図４に示すように、テンプレート生成部２１は、ユーザによりテンプレートの生成が要求される毎に、電子メールの作成に用いるユーザ所望のテンプレート３０乃至３４を生成し、これをテンプレートデータとして記憶部１１に記憶する。
【００１９】
またメール作成部３５は、例えばユーザによりスキャナ部１７に読取対象の１又は複数の原稿がセットされ、オペレーションパネル１６を介してスキャン  Ｔｏ  Ｅメール機能が選択されると、記憶部１１から予め記憶されたテンプレート使用問合画像データを読み出す。そしてメール作成部３５は、テンプレート使用問合画像データを、パネル制御部２０を介してタッチスクリーン１４に送出することにより、当該タッチスクリーン１４にテンプレート使用問合画像（図示せず）を表示する。因みにテンプレート使用問合画像には、スキャン  Ｔｏ  Ｅメール機能を実現するうえで電子メールの作成にテンプレート３０乃至３４を使用するか否かを問い合わせる所定のメッセージが記述されている。メール作成部３５は、テンプレート使用問合画像の表示の結果、ユーザによりオペレーションパネル１６を介して電子メールの作成にテンプレート３０乃至３４を使用することが選択されると、記憶部１１から予め記憶された宛先入力画像データを読み出す。そしてメール作成部３５は、宛先入力画像データを、パネル制御部２０を介してタッチスクリーン１４に送出することにより、当該タッチスクリーン１４に宛先入力画像データに基づき、図５に示すような宛先入力画像３７を表示する。
【００２０】
宛先入力画像３７には、第１乃至第３送信先アドレスを個別に入力するための第１乃至第３アドレス入力部３８乃至４０と、テンプレート３０乃至３４の提示を指示させるためのテンプレート提示指示アイコン４１とが設けられている。よってメール作成部３５は、ユーザにオペレーションパネル１６を介して宛先入力画像３７上で電子メールの宛先として少なくとも第１送信先アドレスを入力させる。またメール作成部３５は、ユーザにより宛先入力画像３７上でテンプレート提示指示アイコン４１を介してテンプレート３０乃至３４の提示が指示されると、記憶部１１からテンプレート管理リストを読み出す。さらにメール作成部３５は、テンプレート管理リストに基づきテンプレート提示画像データを生成し、パネル制御部２０を介してタッチスクリーン１４に送出する。これによりメール作成部３５は、タッチスクリーン１４に、宛先入力画像３７に換えてテンプレート提示画像データに基づき図６に示すようなテンプレート提示画像４３を表示する。よってメール作成部３５は、ユーザにテンプレート提示画像４３を介して、電子メールの作成に使用可能な全ての（すなわち、この時点までに記憶部１１に記憶している全ての）テンプレート３０乃至３４を、リスト化したテンプレート識別情報として提示する。
【００２１】
この際、メール作成部３５は、ユーザによりオペレーションパネル１６を介してテンプレート提示画像４３上で何れかのテンプレート３０乃至３４がテンプレート識別情報として選択されると、記憶部１１から当該選択されたテンプレート３０乃至３４のテンプレートデータを読み出す。そしてメール作成部３５は、テンプレートデータを、パネル制御部２０を介してタッチスクリーン１４に送出する。これによりメール作成部３５は、タッチスクリーン１４にテンプレート提示画像４３に換えてテンプレートデータに基づきテンプレート３０乃至３４を表示してユーザに見せることができる。因みにメール作成部３５は、ユーザによりオペレーションパネル１６を介してテンプレート提示画像４３を再び表示するように指示されると、これに応じてタッチスクリーン１４にテンプレート３０乃至３４に換えてテンプレート提示画像４３を表示する。そしてメール作成部３５は、ユーザにより再び何れかのテンプレート３０乃至３４がテンプレート識別情報として選択されると、同様にタッチスクリーン１４に当該選択されてテンプレート３０乃至３４を表示する。このようにしてメール作成部３５は、ユーザにテンプレート３０乃至３４を実際に見せて、電子メールの作成に用いるか否かを確認させ、当該電子メールの作成に用いる所望のテンプレート３０乃至３４を選択させる。
【００２２】
そのうえで画像生成制御部４５は、ユーザによりオペレーションパネル１６を介して原稿画像の読み取りが指示されると、事前に設定された送信画像生成条件に従いスキャナ部１７を制御する。因みに送信画像生成条件は、原稿から原稿画像を読み取る際の解像度や、読み取った原稿画像をもとに生成する画像ファイルのファイルフォーマット等のように、原稿画像をもとに送信対象の画像ファイルを生成するための種々の項目に亘って設定されている。これにより画像生成制御部４５は、スキャナ部１７により読取対象の１又は複数の原稿の原稿画像を光学的に読み取って１又は複数の（すなわち原稿毎の）原稿画像データを生成し、これを取り込む。そして画像生成制御部４５は、画像生成制御条件に従い１又は複数の原稿画像データに適宜、所定のデータ処理を施した後、当該原稿画像データを格納した１又は複数の（すなわち原稿毎の）画像ファイルを生成してファイル名生成部４６に送出する。
【００２３】
またメール作成部３５は、ユーザにより原稿画像の読み取りが指示されると、例えば画像生成制御部４５により原稿画像をもとに画像ファイルが生成されている間、テンプレート３０乃至３４を用いて電子メールを作成する。すなわちメール作成部３５は、ユーザにより原稿画像の読み取りが指示されると、当該ユーザにより選択されたテンプレート３０乃至３４からメール件名を取り出す。またメール作成部３５は、ＲＴＣ回路１３が計時している現在日時をメール作成日時として検出する。そしてメール作成部３５は、メール件名の後尾にメール作成日時を表す数字や記号等の文字列であるメール作成日時情報を付加して新たなメール件名（以下、これを日時付加メール件名とも呼ぶ）を生成して、テンプレート３０乃至３４の件名入力部２６に挿入する。すなわちメール作成部３５は、テンプレート３０乃至３４のメール件名を、これにメール作成日時情報を繋げた日時付加メール件名に差し替える。因みに以下の説明では、日時付加メール件名において先頭側となる元のメール件名（すなわちユーザに入力されていたメール件名）の部分を入力件名部分とも呼び、後尾側となるメール作成日時情報の部分を日時部分とも呼ぶ。
【００２４】
そのうえでメール作成部３５は、テンプレート３０乃至３４の第１乃至第３アドレス入力部に、ユーザにより宛先入力画像３７上で入力された送信先のメールアドレスを挿入する。このようにしてメール作成部３５は、ユーザにより選択されたテンプレート３０乃至３４をもとに電子メールを作成する。そしてメール作成部３５は、この際に生成した日時付加メール件名を示す件名データをファイル名生成部４６に送出する。因みにメール作成部３５は、このようにテンプレート３０乃至３４を用いて電子メールを作成すると、これを例えばパネル制御部２０を介してタッチスクリーン１４に表示することで、ユーザに当該電子メールの内容（日時付加メール件名やメール本文と共に送信先のメールアドレス）を確認させることができる。
【００２５】
またファイル名生成部４６は、画像生成制御部４５から１又は複数の画像ファイルが与えられると、メール作成部３５から件名データとして通知された日時付加メール件名に基づき画像ファイルのファイル名を生成する。すなわちファイル名生成部４６は、画像生成制御部４５から１個の画像ファイルが与えられた場合、日時付加メール件名の件名文字数を、予め任意に選定されたファイル名最大文字数と比較して、当該件名文字数がファイル名最大文字数以下であるか否かを判別する。その結果、ファイル名生成部４６は、件名文字数がファイル名最大文字数以下であると、日時付加メール件名に基づいて、当該日時付加メール件名の文字列と同一の文字列であるファイル名を生成して画像ファイルに付与する。これに対してファイル名生成部４６は、件名文字数がファイル名最大文字数よりも多いと、例えば日時付加メール件名の入力件名部分における後尾側（すなわち日時部分寄り）の文字を適宜削除して、日時付加メール件名の件名文字数をファイル名最大文字数と一致させるように削減する。そしてファイル名生成部４６は、このように件名文字数を削減した日時付加メール件名に基づいて、当該日時付加メール件名の文字列と同一の文字列であるファイル名を生成して画像ファイルに付与する。
【００２６】
これに対してファイル名生成部４６は、画像生成制御部４５から複数の画像ファイルが与えられた場合、当該画像ファイルのファイル総数を検出する。またファイル名生成部４６は、上述と同様に件名文字数をファイル名最大文字数と比較し、その比較結果に応じて日時付加メール件名の件名文字数を適宜削減する。そしてファイル名生成部４６は、適宜件名文字数を削減したファイル名最大文字数以下の件名文字数の日時付加メール件名と、ファイル総数分のそれぞれ異なる個別追加情報とに基づいて、これら複数の画像ファイルのファイル名を生成する。すなわちファイル名生成部４６は、ファイル総数分のファイル名を、先頭側は何れも日時付加メール件名の文字列と同一の文字列にするものの、当該文字列の後尾にそれぞれ１個の個別追加情報を互いに重複しないように付加して生成する。
【００２７】
因みにファイル名毎の個別追加情報は、（１）、（２）、（３）、……のような連番や、Ａ、Ｂ、Ｃ、……のようなアルファベット、ファイル総数Ｎに対する何番目のファイルであるのかを示す（１／Ｎ）、（２／Ｎ）、（３／Ｎ）、……のような文字列等のように種々のものがある。このためファイル名生成部４６は、例えば、これら種々の個別追加情報の中からユーザにより任意に選定された１種類の個別追加情報を、ファイル名の生成に用いるように設定している。よってファイル名生成部４６は、画像生成制御部４５から複数の画像ファイルが与えられた場合、日時付加メール件名と共に、その設定に応じた個別追加情報を用いて複数のファイル名を生成している。そしてファイル名生成部４６は、複数の画像ファイルにそれぞれ異なるファイル名を付与する。
【００２８】
因みに上述のファイル名最大文字数は、例えば画像読取装置１に実装された基本プログラムによってファイル名の生成用に規定された規定最大文字数よりも僅かに少ない所定数に設定されている。これによりファイル名生成部４６は、日時付加メール件名の件名文字数が比較的多い場合でも、１又は複数の画像ファイル用に、それぞれ規定最大文字数以内の文字数のファイル名を生成している。このようにしてファイル名生成部４６は、ファイル名を生成して１又は複数の画像ファイルにそれぞれ付与すると、当該ファイル名を付与した１又は複数の画像ファイルをメール作成部３５に送出する。
【００２９】
なお画像読取装置１では、ファイル名生成部４６により件名文字数がファイル名最大文字数よりも多い場合、日時付加メール件名の日時部分における後尾側（又は先頭側）の文字、又は入力件名部分における後尾側（又は先頭側）と日時部分における後尾側（又は先頭側）との両方の文字等のように種々の箇所の文字を適宜削除して、日時付加メール件名の件名文字数をファイル名最大文字数と一致させるように削減しても良い。また画像読取装置１では、ファイル名生成部４６により例えば日時付加メール件名に対する、それぞれ文字の削除箇所が異なる種々の文字数削減手法のうちユーザに所望の文字数削減手法を選定させて設定しておき、件名文字数がファイル名最大文字数よりも多い場合は、その設定に従って日時付加メール件名の文字を削除しても良い。さらに画像読取装置１では、例えば画像読取装置１に実装された基本プログラムによってファイル名の生成に使用しない使用禁止文字が規定されている場合は、ファイル名生成部４６により日時付加メール件名の文字列の中で使用禁止文字を探索する。そして画像読取装置１では、ファイル名生成部４６により、日時付加メール件名に使用禁止文字が含まれていなければ、当該日時付加メール件名をそのままファイル名の生成に用いる。また画像読取装置１では、ファイル名生成部４６により、日時付加メール件名に使用禁止文字が含まれていると、当該日時付加メール件名から使用禁止文字を自動的に削除したうえで、当該使用禁止文字を削除した日時付加メール件名をファイル名の生成に用いても良い。
【００３０】
そして図７に示すように、メール作成部３５は、ファイル名生成部４６から１又は複数の画像ファイル５０が与えられると、その際に作成した電子メール５１に当該１又は複数の画像ファイル５０を添付する。因みに図７には、電子メール５１に１個の画像ファイル５０を添付した例を示している。なおメール作成部３５は、このように電子メール５１に１又は複数の画像ファイル５０を添付すると、これを例えばパネル制御部２０を介してタッチスクリーン１４に表示することで、ユーザに電子メール５１に対し１又は複数の画像ファイル５０を添付したことを通知することができる。
【００３１】
そしてメール作成部３５は、１又は複数の画像ファイル５０を添付した電子メール５１を示すメールデータを生成する。なおメールデータは、メール本体部の先頭にメールヘッダが付加されたデータフォーマットで構成されている。よってメール作成部３５は、この際、メール本体部にメール本文を示す本文データと、電子メールに添付した１又は複数の画像ファイル５０とを格納し、メールヘッダに送信元のメールアドレスを示すアドレスデータ、送信先のメールアドレスを示すアドレスデータ及び日時付加メール件名を示す件名データ等を格納したメールデータを生成する。そしてメール作成部３５は、メールデータを送信制御部５３に送出する。これにより送信制御部５３は、メールデータを送信先のメールアドレスに従いネットワークインタフェース１８を介して送信先へ送信する。
【００３２】
一方、メール作成部３５は、上述のようにタッチスクリーン１４にテンプレート使用問合画像を表示した際、ユーザにより電子メールの作成にテンプレートを使用しないことが選択されると、記憶部１１から新規メール作成画像データを読み出す。そしてメール作成部３５は、新規メール作成画像データを、パネル制御部２０を介してタッチスクリーン１４に送出して新規メール作成画像２２を表示する。これによりメール作成部３５は、ユーザにオペレーションパネル１６を介して新規メール作成画像２２上で電子メールの宛先として少なくとも第１送信先アドレスを入力させると共に、当該電子メールのメール件名及びメール本文を入力させる。そのうえでメール作成部３５は、ユーザにより原稿画像の読み取りが指示されると、新規メール作成画像２２の件名入力部２６からメール件名を取り出す。そしてメール作成部３５は、上述と同様にメール件名の後尾にメール作成日時情報を付加して日時付加メール件名を生成して、新規メール作成画像２２の件名入力部２６に挿入することで、当該新規メール作成画像２２をもとに電子メールを作成する。またメール作成部３５は、この際も日時付加メール件名を示す件名データをファイル名生成部４６に送出する。
【００３３】
因みに画像生成制御部４５は、ユーザにより原稿画像の読み取りが指示されると、上述と同様に１又は複数の原稿の原稿画像をもとに１又は複数の画像ファイルを生成してファイル名生成部４６に送出する。またファイル名生成部４６は、画像生成制御部４５から１又は複数の画像ファイルが与えられると、メール作成部３５から件名データとして通知されていた日時付加メール件名に基づき、上述と同様に１又は複数のファイル名を生成して画像ファイルに付与する。そしてファイル名生成部４６は、ファイル名を付与した１又は複数の画像ファイルをメール作成部３５に送出する。よってメール作成部３５は、ファイル名生成部４６から１又は複数の画像ファイルが与えられると、電子メールに１又は複数の画像ファイルを添付する。そしてメール作成部３５は、上述と同様に、１又は複数の画像ファイルを添付した電子メールを示すメールデータを生成して送信制御部５３に送出する。これにより送信制御部５３は、メールデータを送信先のメールアドレスに従いネットワークインタフェース１８を介して送信先へ送信する。このようにしてメール作成部３５は、１又は複数の原稿の原稿画像を送信対象の１又は複数の画像ファイルとし、テンプレート３０乃至３４や新規メール作成画像２２をもとに作成した電子メールに添付して（すなわち電子メールを利用して）、送信先である端末装置３、４へ送信することができる。
【００３４】
ところで画像読取装置１では、テンプレート３０乃至３４や新規メール作成画像２２をもとに電子メールを作成して送信する場合、ユーザによりテンプレート３０乃至３４や新規メール作成画像２２の件名入力部２６に入力されていたメール件名が送信先に電子メールの送信目的を伝えるものとなる。そして画像読取装置１では、送信対象の画像ファイルの送信に電子メールを利用する場合、当該電子メールの送信目的は画像ファイルの送信になる。このため画像読取装置１では、電子メールの作成に用いたテンプレート３０乃至３４や新規メール作成画像２２の件名入力部２６に入力されたメール件名は、当該電子メールを利用して送信する画像ファイルのファイル内容を表す（すなわち原稿画像の内容を反映させた）ものとなる。そして画像読取装置１では、ファイル名生成部４６によりメール件名に基づき自動的に画像ファイルのファイル名を生成している。よって画像読取装置１では、スキャン  Ｔｏ  Ｅメール機能により画像ファイルを電子メールに添付して送信するファイル送信時、ユーザにファイル名を入力させなくても、画像ファイルにファイル内容を表すファイル名を容易に生成して付与することができる。特に画像読取装置１では、画像ファイルの送信に利用する電子メールを、テンプレート３０乃至３４をもとに生成する場合、ユーザにファイル名と共にメール件名やメール本文も入力させる必要がなく、この際のユーザの操作を格段的に簡易化することができる。
【００３５】
また実際に画像読取装置１では、ファイル送信時、メール作成部３５により、ユーザによってテンプレート３０乃至３４や新規メール作成画像２２の件名入力部２６に入力されていたメール件名にメール作成日時情報を付加して日時付加メール件名を生成している。そして画像読取装置１では、ファイル名生成部４６により日時付加メール件名に基づき、当該日時付加メール件名の入力件名部分及び日時部分を盛り込んだファイル名を生成している。すなわち画像読取装置１では、ファイル名生成部４６により、入力件名部分により画像ファイルのファイル内容を表し、かつ日時部分により画像ファイルを添付する電子メールのメール作成日時を表すファイル名を生成している。よって画像読取装置１では、メール作成部３５により、画像ファイルの送信に利用する複数の電子メールの作成に、それぞれメール件名が同一のテンプレート３０乃至３４を用い、また同一のメール件名が入力された新規メール作成画像２２を用いても、ファイル名生成部４６により、電子メール毎の画像ファイルのファイル名を何れも入力件名部分は等しいものの、電子メールのメール作成日時が異なることに応じて日時部分が異なるように生成している。
【００３６】
さらに画像読取装置１では、電子メールを利用して複数の画像ファイルを送信する場合、ファイル名生成部４６により日時付加メール件名とファイル総数分のそれぞれ異なる個別追加情報とに基づき複数のファイル名を生成している。すなわち画像読取装置１では、ファイル名生成部４６により、１個の電子メールで送信される複数の画像ファイルのファイル名を何れも入力件名部分が等しく、かつ日時部分が等しいものの、個別追加情報が異なるように生成している。このようにして画像読取装置１では、電子メールを利用して１又は複数の画像ファイルを送信する場合、何れの画像ファイルに対しても、それぞれファイル内容を表しつつ、少なくとも一部が必ず異なる固有のファイル名を自動的に生成して付与することができる。
【００３７】
ところでメール作成部３５は、１又は複数の画像ファイルを電子メールに添付して送信先へ送信すると、記憶部１１に当該１又は複数の画像ファイルを送出して記憶する。またメール作成部３５は、１又は複数の画像ファイルのファイル名も記憶部１１に送出して記憶することにより、当該記憶部１１上で予め生成しているファイル管理リスト（図示せず）に、画像ファイルと関連付けて登録する。これによりメール作成部３５は、ファイル管理リストに基づき、送信済みの画像ファイル（すなわち既に電子メールに添付して送信した画像ファイル）を管理する。そしてメール作成部３５は、このように送信済みの画像ファイルを管理することで、当該送信済みの画像ファイルを、先の送信先と同一の送信先や異なる他の送信先へ再送信可能にしている。
【００３８】
すなわちメール作成部３５は、ユーザによりオペレーションパネル１６を介して画像ファイルの再送信機能が選択されると、例えば記憶部１１から宛先入力画像データを読み出して、上述と同様にタッチスクリーン１４に宛先入力画像３７を表示する。これによりメール作成部３５は、ユーザにオペレーションパネル１６を介して宛先入力画像３７上で電子メールの宛先として少なくとも第１送信先アドレスを入力させる。またメール作成部３５は、この際もユーザにより宛先入力画像３７上でテンプレート３０乃至３４の提示が指示されると、上述と同様にテンプレート提示画像データを生成して、タッチスクリーン１４にテンプレート提示画像４３を表示する。そしてメール作成部３５は、ユーザにより所望のテンプレート３０乃至３４が選択されると、当該選択されたテンプレート３０乃至３４からメール件名を取り出す。
【００３９】
またメール作成部３５は、メール件名とファイル管理リストとに基づき送信済みの画像ファイルの中から、当該メール件名の文字列の少なくとも一部を、ファイル内容を表す入力件名部分として含むファイル名の画像ファイルを検索する。すなわちメール作成部３５は、メール件名に関連するファイル名の画像ファイルを検索する。そしてメール作成部３５は、検索した１又は複数の画像ファイルをファイル名として提示するためのファイル提示画像データを生成し、パネル制御部２０を介してタッチスクリーン１４に送出する。これによりメール作成部３５は、タッチスクリーン１４にファイル提示画像データに基づきファイル提示画像（図示せず）を表示して、ユーザにメール件名に関連する全ての画像ファイルをファイル名として提示する。
【００４０】
この際、メール作成部３５は、ユーザによりオペレーションパネル１６を介してファイル提示画像上で何れかの画像ファイルがファイル名として選択されると、これに応じて記憶部１１から当該選択された画像ファイルを読み出す。そしてメール作成部３５は、その画像ファイルに表示用の所定の処理を施し、得られた原稿画像データを、パネル制御部２０を介してタッチスクリーン１４に送出する。これによりメール作成部３５は、タッチスクリーン１４に画像ファイルを原稿画像データに基づく原稿画像として表示してユーザに見せることができる。因みにメール作成部３５は、ユーザによりオペレーションパネル１６を介してファイル提示画像を再び表示するように指示されると、これに応じてタッチスクリーン１４に原稿画像に換えてファイル提示画像を表示する。またメール作成部３５は、ユーザにより再び何れかの画像ファイルがファイル名として選択されると、同様にタッチスクリーン１４に当該選択された画像ファイルを原稿画像として表示する。このようにしてメール作成部３５は、ユーザに送信済みの画像ファイルを原稿画像として実際に見せて、再送信するか否かを確認させる。
【００４１】
そしてメール作成部３５は、ユーザによりオペレーションパネル１６を介してメール件名に関連する全ての画像ファイルの中から一部又は全部のように任意の個数（すなわち１又は複数）の画像ファイルが再送信対象として選択されると、記憶部１１から当該選択された１又は複数の画像ファイルを読み出す。またメール作成部３５は、上述と同様に、ユーザにより選択されたテンプレート３０乃至３４のメール件名を、メール作成日時情報を付加して日時付加メール件名とした後、当該テンプレート３０乃至３４をもとに電子メールを作成する。さらにメール作成部３５は、ユーザにより選択された１又は複数の画像ファイルと共に、日時付加メール件名を示す件名データをファイル名生成部４６に送出する。この際、ファイル名生成部４６は、上述と同様に日時付加メール件名に基づきファイル名を生成した後、１又は複数の画像ファイルを当該生成したファイル名を付与し直してメール作成部３５に返送する。これによりメール作成部３５は、電子メールに、ファイル名生成部４６から返送された１又は複数の画像ファイルを添付すると共に、これを示すメールデータを生成して送信制御部５３に送出する。よって送信制御部５３は、メールデータを送信先のメールアドレスに従いネットワークインタフェース１８を介して送信先へ送信する。このようにしてメール作成部３５は、送信済みの画像ファイルを電子メールに添付して過去の送信先と同一の送信先や、これとは異なる他の送信先へ再送信することができる。
【００４２】
なお画像読取装置１では、メール作成部３５により、テンプレート３０乃至３４のメール件名をそのまま（すなわちメール作成日時情報を付加せずに）用いて電子メールを作成し、１又は複数の画像ファイルを過去に送信したときのファイル名のまま添付しても良い。また画像読取装置１では、メール作成部３５により、画像ファイルの再送信用の電子メールを、テンプレート３０乃至３４のメール件名と、これにメール作成日時を付加した日時付加メール件名との何れを用いて作成するのかをユーザに予め選定させて設定しておき、ユーザにより画像ファイルの再送信機能が選択された場合、その設定に従い電子メールを作成しても良い。
【００４３】
一方、メール作成部３５は、メール件名に関連する画像ファイルのファイル内容を確認したユーザにより例えば当該画像ファイルを再送信せずに、新たな原稿画像を画像ファイルとして送信するように要求される（すなわちオペレーションパネル１６を介してメール件名に関連する画像ファイルの何れも再送信しないことが指示される）と、タッチスクリーン１４に所定のメッセージを表示して、ユーザにスキャナ部１７に読取対象の１又は複数の原稿をセットするように促す。そしてメール作成部３５は、ユーザによりスキャナ部１７に読取対象の１又は複数の原稿がセットされ、オペレーションパネル１６を介して原稿画像の読み取りが指示されると、画像生成制御部４５及びファイル名生成部４６と共に上述と同様の処理を実行して、新たな１又は複数の画像ファイルを添付した電子メールのメールデータを生成して、送信制御部５３によりネットワークインタフェース１８を介して送信先へ送信する。
【００４４】
このようにしてメール作成部３５は、ユーザにより画像ファイルの再送信機能が選択された場合、送信済みの１又は複数の画像ファイルを電子メールに添付して再送信し、また新たに１又は複数の画像ファイルを生成し、電子メールに添付して送信することができる。因みにメール作成部３５は、この際も、電子メールを利用して送信した１又は複数の画像ファイルを記憶部１１に記憶すると共に、当該１又は複数の画像ファイルのファイル名も記憶部１１に記憶してファイル管理リストに登録する。なお画像読取装置１では、メール作成部３５により、ユーザによる画像ファイルの再送信機能の選択に応じてタッチスクリーン１４に新規メール作成画像２２を表示して、ユーザに宛先やメール本文と共にメール件名を入力させ、そのメール件名をもとに、上述と同様の処理を実行して送信済みの画像ファイルを再送信し、又は新たな画像ファイルを送信しても良い。
【００４５】
なお、この実施の形態の場合、メール作成部３５は、１又は複数の画像ファイルを電子メールに添付して送信先へ送信すると、記憶部１１に当該電子メール（すなわち１又は複数の画像ファイルが添付されていない状態の電子メール）を送出して記憶する。またメール作成部３５は、例えば電子メールの宛先（すなわち送信先のメールアドレス）及び日時付加メール件名と送信日時を示す送信日時情報とを対応付けて電子メールの送信履歴情報を生成する。そしてメール作成部３５は、記憶部１１に送信履歴情報を電子メールと関連付けて記憶する。これによりメール作成部３５は、例えばユーザによりオペレーションパネル１６を介して送信履歴情報の閲覧が要求されると、記憶部１１から全ての送信履歴情報を読み出すと共に、その送信履歴情報に基づき送信履歴提示画像データを生成する。そしてメール作成部３５は、送信履歴提示画像データを、パネル制御部２０を介してタッチスクリーン１４に送出することにより、当該タッチスクリーン１４に送信履歴提示画像データに基づき送信履歴提示画像（図示せず）を表示する。これによりメール作成部３５は、ユーザに送信履歴提示画像を介して現在までの電子メールの送信履歴（送信済みの電子メール毎の送信履歴情報）を提示することができる。
【００４６】
この状態でメール作成部３５は、例えばユーザによりオペレーションパネル１６を介して送信履歴提示画像上で何れかの送信履歴情報が選択されると、記憶部１１から当該選択された送信履歴情報に対応する電子メールを読み出す。またメール作成部３５は、電子メールを、パネル制御部２０を介してタッチスクリーン１４に送出して表示する。これによりメール作成部３５は、ユーザに過去に送信した電子メールの内容を確認させることができる。因みにメール作成部３５は、電子メールを表示した状態で、ユーザによりオペレーションパネル１６を介して当該電子メールに添付して送信していた画像ファイルの提示が要求されると、その電子メールの日時付加メール件名とファイル管理リストとに基づき記憶部１１上で、電子メールに添付して送信していた１又は複数の画像ファイルを検索する。そしてメール作成部３５は、検索した１又は複数の画像ファイルをファイル名として提示するためのファイル提示画像データを生成して、上述と同様にタッチスクリーン１４にファイル提示画像を表示する。これによりメール作成部３５は、ユーザにファイル提示画像を介して、電子メールに添付して送信していた１又は複数の画像ファイルをファイル名として提示することができる。
【００４７】
因みにメール作成部３５は、この際もユーザによりオペレーションパネル１６を介してファイル提示画像上で何れかの画像ファイルがファイル名として選択されると、上述と同様にタッチスクリーン１４に当該選択された画像ファイルを原稿画像として表示する。このようにしてメール作成部３５は、ユーザに、電子メールに添付して送信していた１又は複数の画像ファイルのファイル内容を原稿画像として実際に見せて確認させることができる。ところで画像読取装置１では、ユーザにより送信履歴をもとに選択された電子メールを、当該ユーザの送信指示に応じて再度、１又は複数の画像ファイルを添付して送信しても良い。なお画像読取装置１では、送信履歴をもとに選択された電子メールを送信する場合、ユーザの操作に応じて宛先を適宜変更し、また添付する画像ファイルの個数を適宜減らしても良い。
【００４８】
またメール作成部３５は、例えばユーザによりオペレーションパネル１６を介して送信済みの画像ファイルの提示が要求されると、ファイル管理リストに基づき全ての送信済みの画像ファイルをファイル名として提示するためのファイル提示画像データを生成する。そしてメール作成部３５は、上述と同様にタッチスクリーン１４にファイル提示画像を表示することにより、ユーザにファイル提示画像を介して全ての送信済みの画像ファイルをファイル名として提示する。因みにメール作成部３５は、この際もユーザによりオペレーションパネル１６を介してファイル提示画像上で何れかの画像ファイルがファイル名として選択されると、上述と同様にタッチスクリーン１４に当該選択された画像ファイルを原稿画像として表示する。ところでメール作成部３５は、送信済みの画像ファイルを原稿画像として表示した状態で、ユーザにより当該画像ファイルの送信に利用した電子メールを提示するように要求されると、その画像ファイルのファイル名と送信履歴情報とに基づき、記憶部１１上で、画像ファイルの送信に利用した電子メールを検索する。そしてメール作成部３５は、記憶部１１から、検索した電子メールを読み出し、パネル制御部２０を介してタッチスクリーン１４に送出して表示する。これによりメール作成部３５は、ユーザに画像ファイルの送信に利用した電子メールの内容（すなわち宛先やメール本文等）を確認させることができる。
【００４９】
このように画像読取装置１では、電子メールの日時付加メール件名に基づいて画像ファイルのファイル名を生成するため、これら日時付加メール件名とファイル名とが互いに関連付いたものとなっている。よって画像読取装置１では、画像ファイルの送信に利用した電子メールの日時付加メール件名に基づいて、その画像ファイルを容易に検索してファイル内容を確認させることがきる。また画像読取装置１では、送信済みの画像ファイルのファイル名に基づいて、当該画像ファイルの送信に利用した電子メールを容易に検索して内容を確認させることもできる。
【００５０】
（１−２）ファイル送信処理手順
次いで図８に示すフローチャートを用いて、制御部１０が実行するファイル送信処理手順ＲＴ１について説明する。制御部１０は、例えばユーザによりオペレーションパネル１６を介してスキャン  Ｔｏ  Ｅメール機能が選択されると、記憶部１１に予め記憶しているファイル送信処理プログラムに従い、図８に示すファイル送信処理手順ＲＴ１を開始する。制御部１０は、ファイル送信処理手順ＲＴ１を開始すると、ステップＳＰ１においてタッチスクリーン１４にテンプレート使用問合画像を表示して、画像ファイルの送信に利用する電子メールの作成にテンプレート３０乃至３４を使用するか否かを判別する。そしてステップＳＰ１において制御部１０は、ユーザによりオペレーションパネル１６を介して、電子メールの作成にテンプレート３０乃至３４を使用することが選択されて肯定結果を得ると、次のステップＳＰ２に移る。ステップＳＰ２において制御部１０は、タッチスクリーン１４に宛先入力画像３７を表示すると共に、ユーザの操作に応じてテンプレート提示画像４３を表示して、当該ユーザにより電子メールの宛先が入力され、かつ当該電子メールの作成に使用するテンプレート３０乃至３４が選択されることを待ち受ける。そしてステップＳＰ２において制御部１０は、ユーザによりオペレーションパネル１６を介して電子メールの宛先が入力され、かつ当該電子メールの作成に使用するテンプレート３０乃至３４が選択されると、次のステップＳＰ３に移る。
【００５１】
ステップＳＰ３において制御部１０は、ユーザにより原稿からの原稿画像の読み取りが指示されることを待ち受ける。そしてステップＳＰ３において制御部１０は、ユーザによりオペレーションパネル１６を介して原稿画像の読み取りが指示されると、次のステップＳＰ４に移る。よってステップＳＰ４において制御部１０は、スキャナ部１７を駆動制御して１又は複数の原稿から原稿画像を光学的に読み取って１又は複数の原稿画像データを生成して、次のステップＳＰ５に移る。ステップＳＰ５において制御部１０は、テンプレート３０乃至３４のメール件名にメール作成日時情報を付加して日時付加メール件名を生成した後、当該テンプレート３０乃至３４と共に日時付加メール件名をもとに電子メールを作成して、次のステップＳＰ６に移る。ステップＳＰ６において制御部１０は、原稿画像データを格納した１又は複数の画像ファイルを生成して、次のステップＳＰ７に移る。そしてステップＳＰ７において制御部１０は、電子メールの日時付加メール件名に基づいて１又は複数の画像ファイルのファイル名を生成すると共に、これら１又は複数の画像ファイルに当該ファイル名を付与して、次のステップＳＰ８に移る。ステップＳＰ８において制御部１０は、電子メールに１又は複数の画像ファイルを添付するようにしてメールデータを生成して、次のステップＳＰ９に移る。よってステップＳＰ９において制御部１０は、メールデータを送信先のメールアドレスに従いネットワークインタフェース１８を介して送信先へ送信して、次のステップＳＰ１０に移る。ステップＳＰ１０において制御部１０は、送信済みの電子メールと１又は画像ファイルとを記憶部１１に記憶した後、次のステップＳＰ１１に移ってファイル送信処理手順ＲＴ１を終了する。
【００５２】
ところで上述したステップＳＰ１において制御部１０は、ユーザによりオペレーションパネル１６を介して、電子メールの作成にテンプレート３０乃至３４を使用しないことが選択されて否定結果を得ると、ステップＳＰ１２に移る。この際、ステップＳＰ１２において制御部１０は、タッチスクリーン１４に新規メール作成画像２２を表示して、ユーザにより電子メールの宛先、メール件名及びメール本文が入力されることを待ち受ける。そしてステップＳＰ１２において制御部１０は、ユーザによりオペレーションパネル１６を介して新規メール作成画像２２上で電子メールの宛先、メール件名及びメール本文が入力されると、ステップＳＰ３に移る。因みに制御部１０は、ステップＳＰ１２の処理を実行した後、ステップＳＰ３及びステップＳＰ４の処理を順次実行してステップＳＰ５に移ると、この際にはステップＳＰ５において新規メール作成画像２２をもとに電子メールを作成し、引き続きステップＳＰ６乃至ステップＳＰ１０の処理を順次実行して、次のステップＳＰ１１に移ってファイル送信処理手順ＲＴ１を終了する。
【００５３】
（１−３）ファイル再送信処理手順
次いで図８との対応部分に同一符号を付した図９に示すフローチャートを用いて、制御部１０が実行するファイル再送信処理手順ＲＴ２について説明する。制御部１０は、例えばユーザによりオペレーションパネル１６を介して画像ファイルの再送信機能が選択されると、記憶部１１に予め記憶しているファイル再送信処理プログラムに従い、図９に示すファイル再送信処理手順ＲＴ２を開始する。制御部１０は、ファイル再送信処理手順ＲＴ２を開始すると、ステップＳＰ２の処理を実行した後、次のステップＳＰ２１に移る。ステップＳＰ２１において制御部１０は、記憶部１１に記憶している送信済みの画像ファイルの中から、ユーザにより選択されたテンプレート３０乃至３４のメール件名に関連する１又は複数の画像ファイルを検索して、次のステップＳＰ２２に移る。ステップＳＰ２２において制御部１０は、タッチスクリーン１４にファイル提示画像を表示して、ユーザにメール件名に関連する全ての画像ファイルをファイル名として提示し、再送信する画像ファイルが選択されたか否かを判別する。そしてステップＳＰ２２において制御部１０は、ユーザによりオペレーションパネル１６を介して、メール件名に関連する１又は複数の画像ファイルの中から再送信する１又は複数の画像ファイルが選択されて肯定結果を得ると、次のステップＳＰ２３に移る。ステップＳＰ２３において制御部１０は、テンプレート３０乃至３４のメール件名にメール作成日時情報を付加して日時付加メール件名を生成した後、当該テンプレート３０乃至３４と共に日時付加メール件名をもとに電子メールを作成し、引き続きステップＳＰ７乃至ステップＳＰ１０の処理を順次実行して、次のステップＳＰ２４に移ってファイル再送信処理手順ＲＴ２を終了する。
【００５４】
ところでステップＳＰ２２において制御部１０は、送信済みの画像ファイルを再送信せずに新たな原稿画像を画像ファイルとして送信するように要求されて否定結果を得ると、ステップＳＰ２５に移る。ステップＳＰ２５において制御部１０は、原稿からの原稿画像の読み取りが指示されることを待ち受ける。そしてステップＳＰ２５において制御部１０は、例えばユーザによりスキャナ部１７に読取対象の１又は複数の原稿がセットされたうえで、オペレーションパネル１６を介して原稿画像の読み取りが指示されると、ステップＳＰ４の処理を実行して、次のステップＳＰ２６に移る。そしてステップＳＰ２６において制御部１０は、テンプレート３０乃至３４のメール件名にメール作成日時情報を付加して日時付加メール件名を生成した後、当該テンプレート３０乃至３４と共に日時付加メール件名をもとに電子メールを作成し、引き続きステップＳＰ６乃至ステップＳＰ１０の処理を順次実行して、次のステップＳＰ２４に移ってファイル再送信処理手順ＲＴ２を終了する。
【００５５】
（１−４）実施の形態の動作及び効果
以上の構成において、画像読取装置１は、送信対象の画像ファイルを電子メールに添付して送信するファイル送信時、ユーザの操作に応じて日時付加メール件名を記述した電子メールを作成する。また画像読取装置１は、日時付加メール件名に基づいてファイル名を生成して画像ファイルに付与する。そして画像読取装置１は、画像ファイルを電子メールに添付して送信先へ送信する。以上の構成によれば、画像読取装置１では、画像ファイルの送信に電子メールを利用することで、当該電子メールの日時付加メール件名にはファイル内容が反映されている。従って画像読取装置１は、ファイル送信時、ユーザに画像ファイルのファイル名を何ら入力させることなく、当該画像ファイルの送信に利用する電子メールの日時付加メール件名に基づきファイル内容を表すファイル名を自動的に生成して画像ファイルに付与することができ、利便性を向上させることができる。
【００５６】
また画像読取装置１は、記憶部１１に、メール件名及びメール本文が入力されたテンプレート３０乃至３４を記憶しておき、ファイル送信時、ユーザによって選択されたテンプレート３０乃至３４を用いて、画像ファイルを添付する電子メールを作成する。よって画像読取装置１は、ファイル送信時、ユーザにファイル名を入力させないことに加えて、電子メールの作成用のメール件名及びメール本文も何ら入力させることがなく、ユーザの操作を格段的に簡易化し、利便性をさらに向上させることができる。
【００５７】
さらに画像読取装置１は、ファイル送信時、ユーザによってテンプレート３０乃至３４や新規メール作成画像２２の件名入力部２６に入力されていたメール件名にメール作成日時情報を付加して日時付加メール件名を生成する。そして画像読取装置１は、日時付加メール件名に基づき、入力件名部分により画像ファイルのファイル内容を表し、かつ日時部分により画像ファイルを添付する電子メールのメール作成日時を表すファイル名を生成して画像ファイルに付与した。従って画像読取装置１は、画像ファイルの送信に利用する複数の電子メールの作成に、それぞれ同一のメール件名が入力されているテンプレート３０乃至３４や新規メール作成画像２２を用いても、電子メール毎の画像ファイルに、それぞれ入力件名部分によりファイル内容を表しつつ、複数の電子メールのメール作成日時が異なることに応じて日時部分が異なる固有のファイル名を生成して付与することができる。
【００５８】
さらに画像読取装置１は、電子メールを利用して複数の画像ファイルを送信する場合、日時付加メール件名とファイル総数分のそれぞれ異なる個別追加情報とに基づき複数のファイル名を当該ファイル名毎に異なる個別追加情報を付加して生成した。従って画像読取装置１は、１個の電子メールに添付して送信する複数の画像ファイルに、それぞれ入力件名部分によりファイル内容を表しつつ、個別追加情報が異なる固有のファイル名を生成して付与することができる。これにより画像読取装置１は、送信対象の複数の画像ファイルに、それぞれ送信日時や一度の送信個数に係わらずに、入力件名部分によりファイル内容を表しつつも、異なるファイル名を生成して付与することができる。よって画像読取装置１は、記憶部１１に送信済みの複数の画像ファイルを記憶するものの、これら複数の画像ファイルを互いに異なるファイル名により容易にかつ的確に管理することができる。また画像読取装置１は、複数の画像ファイルが送信先で記憶された場合も、当該送信先に、これら複数の画像ファイルを互いに異なるファイル名により容易にかつ的確に管理させることができる。
【００５９】
さらにまた画像読取装置１は、記憶部１１に送信済みの複数の画像ファイルの他に、これら画像ファイルの送信に利用した電子メールも記憶している。そして画像読取装置１は、電子メールの日時付加メール件名に基づいて、送信対象の画像ファイルのファイル名を生成するため、記憶部１１に記憶している電子メールと画像ファイルとを、日時付加メール件名とファイル名とにより互いに関連付けることができる。これにより画像読取装置１は、送信済みの電子メールの日時付加メール件名に基づいて、当該電子メールに添付して送信した画像ファイルを、ファイル内容の確認や再送信のために容易に検索することがきる。また画像読取装置１は、送信済みの画像ファイルのファイル名に基づいて、当該画像ファイルの送信に利用した電子メールも内容の確認や再送信のために容易に検索することができる。さらにまた画像読取装置１は、ファイル名の生成に用いる日時付加メール件名がメール件名を含んでいるため、ファイル再送信時、送信済みの複数の画像ファイルの中から、ユーザにより選択されたテンプレート３０乃至３４のメール件名に関連する画像ファイルを再送信対象として容易に検索することもできる。
【００６０】
（２）他の実施の形態
（２−１）他の実施の形態１
なお上述した実施の形態においては、ファイル送信時、読取対象の１又は複数の原稿から原稿画像を読み取って送信対象の１又は複数の画像ファイルを生成し、日時付加メール件名に基づいてファイル名を生成して付与した後、電子メールに添付して送信する場合について述べた。しかしながら本発明は、これに限らず、ファイル送信時、予め外部から取り込んで記憶していた１又は複数の画像ファイル、又はこのとき外部から取り込んだ１又は複数の画像ファイルを送信対象とし、日時付加メール件名に基づいてファイル名を生成して付与した（すなわち付与し直した）後、電子メールに添付して送信しても良い。また本発明は、画像ファイルを送信対象とし、日時付加メール件名に基づいてファイル名を生成して付与した後、電子メールに添付して送信するのみならず、文章ファイルやプログラムファイル等の種々のファイルを送信対象として、日時付加メール件名に基づいてファイル名を生成して付与した後、電子メールに添付して送信しても良い。すなわち本発明は、電子メールを利用して送信する送信対象ファイルを、画像ファイルのみならず、この他種々の送信対象ファイルに広く適用することができる。
【００６１】
（２−２）他の実施の形態２
また上述した実施の形態においては、日時付加メール件名に基づいてファイル名を生成して送信対象の画像ファイルに付与する場合について述べた。しかしながら本発明は、これに限らず、メール件名に基づいてファイル名を生成して送信対象の画像ファイルに付与しても良い。また本発明は、メール件名にメール作成日時情報に加えて、又は換えて画像ファイルの送信元や送信先（すなわち宛先）をメールアドレス又は名称等で示す送信元情報や送信先情報を付加して新たなメール件名を生成し、当該新たなメール件名に基づいてファイル名を生成して送信対象の画像ファイルに付与しても良い。さらに本発明は、少なくともメール本文に基づいてファイル名を生成して送信対象の画像ファイルに付与しても良い。すなわち本発明は、画像ファイルに少なくともファイル内容を表すファイル名を生成して付与し得れば、ファイル名の生成に、メール件名やメール本文を用い、またメール件名やメール本文と共に種々の情報を用いることができる。そして本発明は、メール件名やメール本文と共に送信元情報や送信先情報に基づいてファイル名を生成して送信対象の画像ファイルに付与した場合、画像ファイルの送信先でファイル名に基づき、当該画像ファイルの送信元や他の送信先等を容易に認識させることができる。
【００６２】
（２−３）他の実施の形態３
さらに上述した実施の形態においては、送信済みの画像ファイルや電子メールを記憶部１１に記憶する場合について述べた。しかしながら本発明は、これに限らず、画像読取装置１と通信可能に接続されたパーソナルコンピュータや外部記憶装置、ネットワーク上のサーバ等に送信済みの画像ファイルや電子メールを送信して記憶しても良い。
【００６３】
（２−４）他の実施の形態４
さらに上述した実施の形態においては、送信対象の画像ファイルを添付すべき電子メールの作成に用いるテンプレート３０乃至３４を、ユーザの操作に応じて生成して記憶する場合について述べた。しかしながら本発明は、これに限らず、パーソナルコンピュータのような外部機器によりユーザの操作に応じて生成された１又は複数のテンプレートを、送信対象の画像ファイルを添付すべき電子メールの作成に用いるテンプレートとして取り込んで記憶しても良い。また本発明は、送信対象の画像ファイルを添付すべき電子メールを、テンプレートを用いずに新規メール作成画像２２のみを用いて作成しても良い。
【００６４】
（２−５）他の実施の形態５
さらに上述した実施の形態においては、ファイル送信時、メール件名が入力されていないテンプレートを用い、又はユーザに新規メール作成画像２２にメール件名を入力させず、ユーザに送信対象の画像ファイルのファイル内容を表すファイル名を任意に入力させて、当該ファイル名をメール件名として自動的に入力したテンプレート又は新規メール作成画像２２を用いて、送信対象の画像ファイルを添付すべき電子メールを作成しても良い。本発明は、係る構成によれば、画像ファイルを添付して送信する電子メールのメール件名により、送信先や送信元において、その電子メールがどのような画像ファイルの送信に利用されたのかを容易にかつ的確に認識させることができる。
【００６５】
（２−６）他の実施の形態６
さらに上述した実施の形態においては、画像読取装置１の制御部１０が、記憶部１１に予め記憶されたファイル送信処理プログラム及びファイル再送信処理プログラムに従って図８及び図９について上述したファイル送信処理手順ＲＴ１及びファイル再送信処理手順ＲＴ２を実行する場合について述べた。しかしながら本発明は、これに限らず、画像読取装置１において制御部１０がファイル送信処理プログラム及びファイル再送信処理プログラムが記憶されたコンピュータ読取可能な記憶媒体によって当該ファイル送信処理プログラム及びファイル再送信処理プログラムをインストールし、又はローカルエリアネットワークやインターネット、デジタル衛星放送等の有線及び無線通信媒体を利用して外部からファイル送信処理プログラム及びファイル再送信処理プログラムをインストールしてファイル送信処理手順ＲＴ１及びファイル再送信処理手順ＲＴ２を実行しても良い。そして、これらファイル送信処理プログラム及びファイル再送信処理プログラムを画像読取装置１にインストールして実行可能な状態にするためのコンピュータ読取可能な記憶媒体としては、例えばフレキシブルディスクや、ＣＤ−ＲＯＭ（Compact  Disc-Read  Only  Memory）、ＤＶＤ（Digital  Versatile  Disc）等のパッケージメディアで実現しても良く、ファイル送信処理プログラム及びファイル再送信処理プログラムが一時的もしくは永続的に記憶される半導体メモリや磁気ディスク等で実現しても良い。またコンピュータ読取可能な記憶媒体に、これらファイル送信処理プログラム及びファイル再送信処理プログラムを記憶する手段としては、ローカルエリアネットワークやインターネット、デジタル衛星放送等の有線及び無線通信媒体を利用しても良い。さらにコンピュータ読取可能な記憶媒体には、ルータやモデム等の各種通信インタフェースを介して、これら種々のプログラムを記憶しても良い。
【００６６】
（２−７）他の実施の形態７
さらに上述した実施の形態においては、本発明によるファイル送信装置及び画像読取装置を、図１乃至図９について上述したＭＦＰである画像読取装置１に適用する場合について述べた。しかしながら本発明は、これに限らず、送信対象ファイルを電子メールに添付して送信し得るスキャナやプリンタ、ファクシミリ、複合機等の画像読取装置、パーソナルコンピュータやスマートホン、タブレット端末、携帯電話機等の情報処理装置等のように、この他種々の構成のファイル送信装置及び画像読取装置に広く適用することができる。
【００６７】
（２−８）他の実施の形態８
さらに上述した実施の形態においては、画像を読み取る読取部として、図１乃至図９について上述したスキャナ部１７を適用する場合について述べた。しかしながら本発明は、これに限らず、原稿の表面の原稿画像や表示部に表示した画像を撮像して読み取るカメラのように、この他種々の構成の読取部を広く適用することができる。
【産業上の利用可能性】
【００６８】
本発明は、ＭＦＰやスキャナ、プリンタ、ファクシミリ、複合機、パーソナルコンピュータ、スマートホン、タブレット端末、携帯電話機等のファイル送信装置及び画像読取装置に利用することができる。
【符号の説明】
【００６９】
１……画像読取装置、１０……制御部、１１……記憶部、１３……ＲＴＣ回路、１７……スキャナ部、３０乃至３４……テンプレート、５０……画像ファイル、５１……電子メール、ＲＴ１……ファイル送信処理手順、ＲＴ２……ファイル再送信処理手順。
【図１】
2017068352.tif 000003
【図２】
2017068352.tif 000004
【図３】
2017068352.tif 000005
【図４】
2017068352.tif 000006
【図５】
2017068352.tif 000007
【図６】
2017068352.tif 000008
【図７】
2017068352.tif 000009
【図８】
2017068352.tif 000010
【図９】
2017068352.tif 000011